(57)【要約】本発明は、改善されたアクセス制御とりわけコピー保護、及び改善されたパーソナライズされた情報の処理のためのシステムに関する。該システムは、コピー保護された情報を担持するＣＤ−ＲＷ＋又はＤＶＤのような記録担体と、前記記録担体を読み取る及び／又は前記記録担体に書き込むための装置とを有する。このため、記録担体（１）は第１の種類の情報を保存するための第１のエリア（３）を持ち、それぞれが第２の種類の情報を保存するための記憶媒体を有するように構成された複数の第２のエリア（４．１乃至４．８）を更に持つ。これらの記憶媒体は好ましくはチップとして実装される。コピー保護のため、前記第１の種類の情報は暗号化され、前記第２の種類の情報は復号化情報を含んでも良い。前記第２の種類の情報用に複数の記憶媒体を利用することは、記録担体（１）上の記憶及び好ましくは計算リソースの分散におけるより柔軟な構成を提供する。更に、前記記憶媒体を記録担体（１）から着脱可能とすることは、多様化されたアクセス権及びパーソナライズ情報を取り扱う容易な方法をもたらす。
2006501588.tif 000002
【特許請求の範囲】
【請求項１】
第１の種類の情報を保存するための第１のエリアを持ち、それぞれが第２の種類の情報を保存するための記憶媒体を有するように構成された複数の第２のエリアを更に持つ記録担体。
【請求項２】
前記第１及び第２のエリアの記憶媒体は異なる物理的な種類のものであることを特徴とする、請求項１に記載の記録担体。
【請求項３】
少なくとも１つの前記第２のエリアの前記記憶媒体はチップであることを特徴とする、請求項１に記載の記録担体。
【請求項４】
少なくとも１つの前記第２のエリアは、該第２のエリアに記憶媒体を取り付ける及び／又は該第２のエリアから記憶媒体を取り外すように構成されることを特徴とする、請求項１に記載の記録担体。
【請求項５】
少なくとも１つの前記第２のエリアの前記記憶媒体は、前記記録担体への読み取り及び／又は書き込み装置のアクセスに関する情報を保存するように構成され、とりわけ当該アクセス情報は、
暗号化された形態で前記第１のエリアに保存される情報を暗号化する及び／又は前記第１のエリアから読み取られる情報を復号化する際に役立つ暗号化及び／又は復号化情報、及び／又は
読み取り及び／又は書き込み装置の前記記録担体へアクセスする権利をチェックする際に役立つ装置アクセス情報、及び／又は
読み取り及び／又は書き込み装置の前記記録担体へのアクセスを制御する、及び／又は前記記録担体から読み取られている情報が前記読み取り及び／又は書き込み装置によって前記読み取り及び／又は書き込み装置のユーザに提示される方法を制御する際に役立つユーザ固有の設定、
を有することを特徴とする、請求項１に記載の記録担体。
【請求項６】
前記第２のエリアはそれぞれチップを有するように構成され、複数の前記チップが、読み取り及び／又は書き込み装置の前記記録担体へのアクセスを制御する際に働く分散された処理を実行するように構成されることを特徴とする、請求項１に記載の記録担体。
【請求項７】
前記第２のエリアはそれぞれ、各第２のエリアの記憶媒体と前記記録担体を読み取る及び／又は前記記録担体に書き込むための装置との間のデータ交換のための結合素子を有するように構成され、前記記録担体上の結合素子の分布が第３の種類の情報をエンコードすることを特徴とする、請求項１に記載の記録担体。
【請求項８】
請求項１に記載の記録担体の前記第２のエリアに取り付けられ、前記第２の種類の情報を保存するように構成された記憶媒体。
【請求項９】
請求項８に記載の記憶媒体を備えた、とりわけプラスチック薄膜である担体装置。
【請求項１０】
請求項１に記載の記録担体を読み取る及び／又は前記記録担体に書き込むための装置であって、前記第２のエリアにアクセスするように構成された装置。
【請求項１１】
前記記録担体の前記第１のエリアと、少なくとも１つの前記第２のエリアとに並行してアクセスするように構成されたことを特徴とする、請求項１０に記載の装置。
【請求項１２】
請求項７に記載の記録担体上の前記結合素子の分布にエンコードされた第３の種類の情報をデコードするように構成されたことを特徴とする、請求項１０に記載の装置。
【請求項１３】
情報へのアクセス制御及び／又は情報のパーソナライズされた処理を支援するためのシステムであって、請求項１０に記載の装置と前記情報を担持する請求項１に記載の記録担体とを有するシステム。
【請求項１４】
請求項１に記載の記録担体を読み取る及び／又は前記記録担体に書き込む方法であって、
前記第２の種類の情報を読み取る及び／又は書き込むステップと、
前記第２の種類の情報に依存して、前記第１の種類の情報の全体又は一部を読み取る及び／又は書き込むステップと、
を有する方法。
【発明の詳細な説明】
【技術分野】
【０００１】
本発明は、アクセス制御された、とりわけコピー保護された情報及び／又はパーソナライズされた処理のために考慮された情報を保存する記録担体に関する。かような記録担体の例は、主にオーディオＣＤ、ＣＤ−ＲＯＭ、ＣＤ−Ｒ、ＣＤ−ＲＷ、ＤＶＤ等であるが、本発明は例えば磁気テープ、ディスケット及びハードディスクのような他の記録担体にも同様に適用可能である。
【背景技術】
【０００２】
ＣＤ又はＤＶＤのような記録担体は、今日では例えば娯楽目的のオーディオ及びビデオコンテンツを配布するために、並びにソフトウェア及びコンピュータゲームを供給するために利用される大量生産される製品である。更に、ＣＤ−Ｒ及びＣＤ−ＲＷ＋のような、これらの媒体の特定の種類は、例えばＣＤバーナを利用することにより、一度又は幾度か記録可能である。これら媒体はそれ故、短期間のバックアップ及び長期間の保管の目的にも利用可能である。更に、これらの装置の増大している記憶容量は、これら媒体の適用可能性を更に拡大させている。
【０００３】
一方、これらの扱い易く耐久性のある記録可能な媒体の存在は、メディアコンテンツのディジタル表現と共に、著作権により保護されたＣＤの１対１のコピーを行う容易な方法を切り開いた。このことは今日、コンテンツ業界にとって大きな商業的な問題を引き起こしている。このコピー保護問題の他に、これらの記録担体の大きな記憶容量は、該記録担体に保存されている情報へのアクセスを支援する方法、及び該情報の好適にパーソナライズされた提示を必要としている。
【０００４】
それに応じて、これらの目的のための幾つかの方法が先端技術において提案されてきた。これらの方法は、記録担体のコンテンツの暗号化及び復号化情報の容易なコピーの防止から、記録担体及び対応する該記録担体のための読み取り及び／又は書き込み装置におけるアクセス制御及びパーソナライズ構造までに渡る。なかでも例えば、パスワード保護を利用すること、それぞれが自身のアクセス権を所有する異なる部分に記録担体を構造化すること、及び偽の媒体の識別子の取り消しリストと共に記録担体についてのユニークな識別子を利用することが提案された。これにより、アクセス制御及び／又はパーソナライズ自体が、前記記録担体上の構造によって、前記記録担体用の読み取り及び／又は書き込み装置によって、又はこれらの両方の間の協働によって実行され得る。
【０００５】
米国特許US6,044,046Aは、記録担体についてのアクセス制御及び／又はパーソナライズ構造を担持する装置として、該記録担体内に物理的に組み込まれたチップを利用することを提案している。このことは、例えば従来のＣＤと下位互換性を可能とし、組み込まれたチップを持つ記録担体を記録担体自体と同じくらい取り扱いが容易なものとする。更に米国特許US6,044,046Aは、前記チップの、及び組み込まれたチップを持つ記録担体を読み取る及び／又は該記録担体に書き込むための対応する装置の通信インタフェースを開示している。とりわけ、前記読み取り及び／又は書き込み装置が、前記記録担体と前記組み込まれたチップとへ同時にアクセスすることを可能とするための方法が記載されている。これらの及び関連する事項の完全な記載については、米国特許US6,044,046Aの内容はここで参照により本明細書に組み込まれたものとする。
【０００６】
米国特許US6,044,046Aはまた、前記読み取り及び／又は書き込み装置において前記記録担体の円滑な動作を可能とするため、前記チップと前記読み取り及び／又は書き込み装置との間の十分に高いデータ転送レートを確立する必要性も言及している。例えば光路が前記チップと前記読み取り及び／又は書き込み装置との間の通信のために利用される場合、当該光路におけるデータビットは、前記記録担体上のそれぞれの結合素子（coupling element）が対応する読み取り器／書き込み器の素子の視界にあるときにのみ流れることができる。それ故、十分に高いデータレートを実現するために、米国特許US6,044,046Aは、例えば前記読み取り器／書き込み器の素子の連続的な視界にある円形の結合素子のような、前記記録担体上の大型の結合素子を利用すること、及び／又は前記読み取り器／書き込み器の素子によって見える前記記録担体のエリアに渡って分布させられた複数の結合素子を利用することを提案している。前記結合素子を大型化すること又は複数の結合素子を利用することの代わりに、米国特許6,044,046Aはまた、送信器及び／又は受信器として動作する、適切な大型の又は複数の補助の素子に結合される、単一の小型の結合素子の可能性も予見している。
【発明の開示】
【発明が解決しようとする課題】
【０００７】
米国特許6,044,046Aの組み込まれたチップの概念は、記録担体のアクセス制御及び情報のパーソナライズに対する非常に柔軟な方法を提供する。しかし、かようなチップ及び該チップの結合素子及び／又は補助素子の構造並びにこれらの関連は、大量のアクセス制御情報又はパーソナライズ情報が保存及び処理される必要がある場合には、幾分複雑になり得る。
【０００８】
それ故本発明の目的は、大量のアクセス制御情報又はパーソナライズ情報をも取り扱う単純で柔軟な方法を提供する、記録担体及び該記録担体を読み取る及び／又は該記録担体に書き込むための対応する装置を提供することにある。本発明の他の目的は、前記アクセス制御情報又はパーソナライズ情報の一部を、該情報の変更されない部分を処理する必要なく追加、削除及び／又は変更する単純な方法を可能とすることにある。
【課題を解決するための手段】
【０００９】
これらの目的は、第１の種類の情報を保存するための第１のエリアを持ち、それぞれが第２の種類の情報を保存するための記憶媒体を有するように構成された複数の第２のエリアを更に持つ記録担体によって、
【００１０】
及びかような記録担体を読み取る及び／又は前記記録担体に書き込むための装置であって、前記第２のエリアにアクセスするように構成された装置によって達成される。
【００１１】
合わせて、前記記録担体及び前記記録担体を読み取る及び／又は前記記録担体に書き込むための装置は、本発明による情報へのアクセス制御及び／又は情報のパーソナライズされた処理を支援するシステムを形成する。更に本発明は、本発明に係る記録担体からアクセス制御された情報及び／又はパーソナライズされた情報を読み取る方法、及び／又は本発明に係る記録担体にかような情報を書き込む方法を提供する。本方法は、前記第２の種類の情報を読み取る及び／又は書き込むステップと、前記第２の種類の情報に依存して前記第１の種類の情報の全体又は一部を読み取る及び／又は書き込むステップとを有する。
【００１２】
かくして、それぞれが好ましくはチップである個々の記憶媒体を持つ複数の第２のエリアを利用することは、単一のチップが大量のアクセス制御情報又はパーソナライズ情報を保存する必要があり、もしそうなら該情報を処理する必要がある場合に、前記単一のチップが複雑になり過ぎるという問題を回避する。このことは、読み取り器／書き込み器と前記チップとの間の通信を考慮するとより明らかとなる。例えば、幾つかの独立した処理及び対応するデータパスが前記読み取り器／書き込み器と前記チップとの間で取り扱われる必要がある場合、単一のチップの場合にはタスク及びデータ転送パスは単一のリソースを共有する必要があり従ってしっかりと連係させられる必要があるが、一方複数のチップの場合にはタスク及びデータパスは単に別個のチップに割り当てられても良い。勿論、タスク及び該タスクのデータは単一のチップに制限される必要はなく、幾つかのチップに渡って分散されても良い。例えば、復号鍵が幾つかのチップに渡って分散されても良く、前記チップは復号アルゴリズムを計算する際に協働しても良い。しかしこの場合には明らかに、これらのチップは、例えば前記読み取り器／書き込み器によって、又はチップ間の直接の通信パスを介して連係させられる必要がある。
【００１３】
適切な数のチップを選択することは、取り扱われるべきアクセス制御情報又はパーソナライズ情報の量及び複雑さに適合する柔軟な方法を提供する。更に、前記アクセス制御情報又はパーソナライズ情報の一部を追加、削除及び／又は変更することは、当該情報を取り扱うチップに限られ、従って前記アクセス制御情報又はパーソナライズ情報の変更されない部分を処理する必要なく為されることができる。
【００１４】
記憶媒体即ち好ましくはチップを、例えば前記第２のエリアに刻み付けられた対応するピットに前記チップをはめ合わせることにより、及び何らかのバネ機構を利用して前記チップを固定することにより、前記第２のエリアから着脱可能とすることは、かようなチップを追加、削除又は置換する単純な方法を提供し、かくして前記アクセス制御情報又はパーソナライズ情報を単に「機構的な」方法で変更する。これらのチップは例えば前記記録担体とは別個に取り引きされても良く、例えばかようなチップの偽造に対するセキュリティの付加的なレベルをもたらし得る、専門店においてのみ利用可能な機器を利用してプログラミング又は再プログラミングされても良い。従って本発明はまた、かような記憶媒体に関し、より詳細には、本発明に係る記録担体に装着可能なように構成されたかようなチップに関する。
【００１５】
同様にして、本発明はまた、複数の第２のエリアがいずれの記憶媒体又はチップも欠いているが、かような記憶媒体を取り付けられるように構成又は準備された記録担体をも包含する。かような構成は、例えば、ことによると何らかのバネ機構により支援された前記第２のエリアに刻み付けられたピットに存するが、前記記録担体上の前記第２のエリアのマーキングにも同様に存し、記憶媒体はステッカのように第２のエリアのマーキングに単に接着されたプラスチックの薄膜上に製造される。本発明に係る記録担体の前記第２のエリアへの記憶媒体のかような取り付けは、例えば単一の部品として前記記録担体の第２のエリアに取り付けられたプラスチック薄膜のように、幾つかの記憶媒体を単一の担体に配置することにより、ユーザにとって更に単純化され得る。従って、本発明はまた、記憶媒体用のかような担体装置にも関する。
【００１６】
前記記録担体の前記第１のエリアは典型的に、例えばユーザが購入したいと欲する曲及び／又はビデオ及び／又はコンピュータゲーム、又は例えばアドレス帳又はメール通信のようなユーザの個人情報といったペイロード情報を保存するように働く。前記第２のエリアも単なる記憶媒体を有しても良いが、好適な実施例においては、米国特許US6,044,046Aの組み込まれたチップの着想におけるように、複数のチップを有する。前記第１及び第２のエリアにおける記憶情報は、共に例えばレーザによって読み取られるピット及びランドのパターンであっても良いが、好ましくは、前記第１のエリアについてはピット及びランド、前記第２のエリアについては誘導コイルに結合された何らかの単純な回路といったように、異なる物理的な実装を利用する。このことは、並行してアクセスされることができる、例えば光及び無線周波数チャネルのような異なる物理的なチャネルという利点をもたらす。同様にして、幾つかの実施例においては、例えば前記第１のエリアをＣＤの従来の螺旋パターンとして実装し、前記第２のエリアを前記ＣＤの中央穴と内側のデータトラックとの間に配置するといったように、前記第１のエリアと前記第２のエリアとを物理的に明確に分離することが有利となる。このことは、前記記録担体の前記エリアと読み取り及び／又は書き込み装置との間の通信チャネルの相互干渉を回避する。
【００１７】
本発明に係る記録担体及び該記録担体の読み取り及び／又は書き込み装置を、前記記録担体の第１のエリアと前記第２のエリアとが並行して読み取られる及び／又は書き込まれるように実施化することは、前記読み取り及び／又は書込み装置が２つのエリア上のデータを互いから独立して取り扱うことができる、即ち２つのデータストリームが互いを妨害することなく処理されることができるという利点を提供する。このことは例えば、規則的な又は不規則な時間間隔で、前記記録担体の信憑性及び保全性を継続的にチェックする可能性を提供し、かくして前記記録担体へのアクセス制御を更に向上させる。例えば、前記第１のエリア上の情報が暗号化され、前記記録担体が前記装置に挿入されたときの一度だけ、例えば無線周波チャネルを介して前記読み取り及び／又は書き込み装置が第２のエリアから復号化情報を読み取る場合、ハッカーは専用のハッキングされた機器を利用して復号化情報を供給することにより前記装置を騙し得る。この種の攻撃は、前記読み取り及び／又は書き込み装置が、例えば不規則な時間間隔で、何度か前記復号化情報を要求する場合には、より複雑になる。
【００１８】
前記第２のエリアの記憶媒体は、第２の種類の情報即ちアクセス制御情報及び／又はパーソナライズ情報を保存するように働く。当該情報は例えば、暗号化された形態で前記第１のエリアに保存される情報を暗号化する及び／又は前記第１のエリアから読み取られる情報を復号化する際に役立つ復号化情報から成る。又は前記情報は、前記記録担体にアクセスするための読み取り及び／又は書き込み装置の権利をチェックする際に役立つ装置アクセス情報から成っても良い。更なる可能性として、これらの媒体は、例えばパーソナライズされたアクセス制御又はパーソナライズされた情報表示のために役立つユーザ固有の設定を保存しても良い。又は前記媒体は、アドレス帳、通信若しくは前記記録担体の利用についてのアカウント情報のような個人情報、又は例えば保存されたコンピュータゲームのプレイにおいて得られたスコアのような該媒体に保存されたデータ及び／又はプログラムを保存しても良い。
【００１９】
前記チップをプロセッサチップとして実装することは、高度なアクセス制御又はパーソナライズ処理を確立する最も柔軟な方法を提供する。しかし、単なるメモリチップ又は単なる結合素子といった、より単純で安価な可能性でも、興味ある機能を提供する。当業者は、単なる結合素子でも、該結合素子がそこにある、又は該結合素子がない場合には該結合素子はそこにはないということを通信することが可能であり、従って情報を担持し得ることを容易に認識するであろう。更に、結合素子を前記記録担体上に意図的な方法で分布させることは、当該分布の方式に更なる情報をエンコードするために利用され得る。結合素子という語はここでは、前記読み取り器／書き込み器によってその存在が認識されるいずれの（記録担体上の）構成要素をも示すために利用されていることに留意されたい。従って、結合素子という語は、前記結合素子と共に米国特許US6,044,046Aの補助素子をも包含する。
【００２０】
勿論、当業者には明らかなように、より改善された本発明に係る記録担体へのアクセス制御又は本発明に係る記録担体のパーソナライズを得るために、上述の方法を組み合わせても良い。例えば、非常に単純な着脱可能なチップ又は単なる結合素子を利用することを、情報を担持する前記第２のエリアの分散パターンと有利に組み合わせても良い。このとき、前記記録担体への前記チップの装着は例えば、前記記録担体が有効である地理的な領域をエンコードした地域コードとして働いても良い。
【００２１】
本発明のこれらの及び更なる態様は、実施例によって及びとりわけ添付された図の記載によって更に説明される。
【発明を実施するための最良の形態】
【００２２】
図１は、ディスクの形をとる本発明に係る記録担体１、及び本発明に係る読み取り器／書き込み器の読み取り／書き込みヘッド１０を図示する。記録担体１は、中央開口２及びトラック３を持つ。トラック３は、螺旋状又は同心円状のパターンで配置され、例えば曲及び／又はビデオ及び／又はコンピュータゲーム又はユーザの個人情報のような、ペイロードデータといった、第１の種類の情報を保存するための第１のエリアを有する。例えばアクセス制御及び／又はパーソナライズ情報といった、第２の種類の情報を保存するための２つの第２のエリア４．１及び４．２もまた、記録担体１上に存在する。第２のエリア４．１及び４．２はそれぞれ各々の記憶媒体としてチップを有し、それぞれ組み込まれた結合素子５．１又は５．２を担持する。結合素子５．１又は５．２は、例えば誘導コイル又はＬＥＤ及びフォトダイオードであり、記録担体１を読み取る及び／又は記録担体１に書き込むための装置の対応する読み取り／書き込みヘッド１０と通信する。記録担体１の概略の構造及び該記録担体を読み取る及び／又は該記録担体に書き込むための装置との該記録担体の通信手段についての更なる詳細については、また米国特許US6,044046Aを参照されたい。
【００２３】
図２は、図には示されていない結合素子を備えた、本発明に係る記録担体１上の６つの第２のエリア４．３乃至４．８の分布、及び本発明に係る読み取り器／書き込み器の読み取り／書き込みヘッド１０を図示する。第２のエリア４．３乃至４．８は、記録担体１の中央開口２に中心を合わせられた２つの同心円２０及び２１上に配置される。即ち、第２のエリア４．３、４．４及び４．５は内側の円２０上に存し、第２のエリア４．６、４．７及び４．８は外側の円２１上に存する。円２０又は２１上の位置の他に、前記記録担体上の第２のエリア４．３乃至４．８の角位置が、第２のエリア４．３乃至４．８と中央開口２との接続線によって形成される６つの角３１乃至３６によって与えられる。
【００２４】
前記記録担体の回転の間、前記読み取り器／書き込み器の読み取り／書き込みヘッド１０は、第２のエリア４．３乃至４．８の相対位置、即ちこれらエリアの円２０又は２１上の位置及びこれらエリアの角位置３１乃至３６を感知する。前記円上の位置を感知するため、読み取り／書き込みヘッド１０は例えば、方向に依存するように構成されても良い。例えば第２のエリア４．３と４．４との間の角３１のような、２つの連続する第２のエリア間の角を感知するため、前記ディスクが時計回りに回転する場合、前記読み取り器／書き込み器は、エリア４．３の「観測」とエリア４．４の「観測」との間の時間、即ちエリア４．３又は４．４と接触している時間間隔の中間点間のタイムスパンを計測しても良い。勿論、典型的に前記記録担体の回転速度は時間と共に変化するため、これらの絶対的なタイムスパンは１回転の間隔に関連付けられる必要がある。回転が終了したことを検出することは、例えば１つの第２のエリアに、該エリアが識別されることを可能とするコードを与えることにより、又は前記第２のエリアの分布の周期的な再出現を検出することにより実行されることができる（分布パターンが１回転内のいずれの周期性をも回避している場合）。
【００２５】
読み取り／書き込みヘッド１０は前記第２のエリアの分布パターンを感知することが可能であるため、当該パターンは、例えばどの地理的な領域において前記記録担体が有効かを示す地域コードについての、及び／又はどの規格に前記記録担体が準拠しているかをエンコードするための、及び／又は前記記録担体が上下逆に挿入されたか否かをエンコードするための、第３の種類の情報をエンコードするために選択されることができる。前記記録担体が挿入された向きを検出するこの最後のタスクは、例えば互いから１８０°とは異なる角で円上にある２つの第２のエリアを利用し、そのうちの１つに識別コードを備えた記憶媒体を備えることにより、又は互いに等しくない角の円上の３つの第２のエリアを利用することにより、実行されることができる。
【００２６】
第３の種類の情報をエンコードするために、第２のエリアの異なる径方向の位置を利用する代わりに、即ち円２０又は２１上の第２のエリアの位置を利用する代わりに、かような位置はまた異なる径方向の位置に読み取り／書き込みヘッドを持つ異なる種類の読み取り器／書き込み器をサポートするためにも利用され得る。
【００２７】
記録担体と読み取り器／書き込み器との間の通信において複数の第２のエリアをアドレス指定するために、前記読み取り器／書き込み器への各通信の開始において前記第２のエリアによって通信される、前記第２のエリア用の明示的なアドレスが利用されても良い。しかしながら、上述したように、前記記録担体の１回転の後（又は上述の周期性認識が利用される場合には数回転の後）、前記読み取り器／書き込み器は前記第２のエリアの連続を知る。かくして、明示的なアドレスの送信を必要とする代わりに、前記読み取り器／書き込み器は単に前記第２のエリアの連続によって、前記第２のエリアを識別し得る。
【図面の簡単な説明】
【００２８】
【図１】本発明に係る記録担体及び本発明に係る読み取り器／書き込み器の読み取り／書き込みヘッドを図示する。
【図２】本発明に係る記録担体上の第２のエリアの分布及び本発明に係る読み取り器／書き込み器の読み取り／書き込みヘッドを示す。
【図１】
2006501588.tif 000003
【図２】
2006501588.tif 000004
【国際調査報告】
2006501588.tif 000005
2006501588.tif 000006
2006501588.tif 000007